(57)【要約】【課題】遮蔽部を短時間に容易に脱着・固定できることを目的とする。【解決手段】フランジ５を有した本体筒部６と、網７と、カラー部９と、枠体を有した遮蔽部１３を設けた構成で、枠体にはＬ字状の切り欠け部と鈎状の爪を有し、カラー部９には、中心側に突出したピンと、枠体の鈎状の爪を係合固定するための固定金具とを設けたという構成としたことにより、遮蔽部１３をカラー部９に取り付ける際、ピンが合うように遮蔽部１３を挿入させ、さらに遮蔽部１３を回転させると、ピンの位置により、遮蔽部１３が容易に外れることがなくなり、同時に、鉤状の爪が固定金具に係止固定されることとなり、また外す際も、同様の作業内容で行うことができるので、遮蔽部１３を短時間に容易に脱着・固定できる換気用ベントキャップを得られる。【選択図】図１
2014122753.tif 000002
【特許請求の範囲】
【請求項１】
建物の外壁内に設けられて室内側と室外側を連通するダクト内に嵌挿されるフランジを有した本体筒部と、前記フランジの平面上に配置された網と、前記本体筒部の室外側端部から室外側に突出して円筒状となるカラー部と、前記カラー部の内壁より小径の枠体に支持部材を介して室外側に設けられる遮蔽部とを備え、前記カラー部の遮蔽部側周縁と前記遮蔽部の外周縁との間に開口を設けた構成であって、前記枠体にはＬ字状の切り欠け部と鈎状の爪を有し、前記カラー部には、中心側に突出したピンと、前記枠体の鈎状の爪を係合固定するための固定金具とを設けたことを特徴とする換気用ベントキャップ。
【請求項２】
フランジに回動自在な挟み板を設け、前記挟み板と前記フランジとの間に網を着脱自在に挟持する構成とした請求項１に記載の換気用ベントキャップ。
【請求項３】
開口を下方に設けたことを特徴とする請求項１または２に記載の換気用ベントキャップ。
【請求項４】
遮蔽部は外周縁から中心に向かうにしたがって室内側に厚みが増加する突形状部を設けた請求項１〜３のいずれかに記載の換気用ベントキャップ。
【発明の詳細な説明】
【技術分野】
【０００１】
本発明は、住宅等の室内空気を室外に換気するときに、建物の外壁部分に設置される換気用ベントキャップに関するものである。
【背景技術】
【０００２】
従来、この種の換気用ベントキャップとして室内側に風雨の吹き込みを防止する遮蔽板を設けた換気用ベントキャップが知られている（例えば、特許文献１参照）。
【０００３】
以下、その換気用ベントキャップについて図５を参照しながら説明する。
【０００４】
図５に示すように、従来の換気用ベントキャップは、建物の外壁内に設けられて室内側と室外側を連通するダクト内に嵌挿される本体筒部１０１と、本体筒部１０１の室外側端部から室外側に突出させてなる円筒状のカラー部１０２と、カラー部１０２の内側に設けられ、本体筒部１０１の室外側開口部に連通する開口部を有したベース１０３と、ベース１０３に支持部材１０４を介して室外に設けられる遮蔽部１０５とを備えた換気用ベントキャップであって、ベース１０３と支持部材１０４と遮蔽部１０５とをユニット化して遮蔽ユニット１０６を構成し、遮蔽ユニット１０６をカラー部１０２に着脱自在に設け、かつ、ベース１０３に網１０７が設けられた構成としている。
【０００５】
そして、本体筒部１０１の外周にはばね性を有した抜け止め金具１０８が固着され、カラー部１０２の外周には、遮蔽ユニット１０６を構成するベース１０３を固定するためのねじを通す挿通穴１０９が設けられ、ベース１０３の外周には、ねじ１１０と螺合する雌ねじ１１１を有し、さらに、網１０７はベース１０３に取り付けられている。
【０００６】
そして、長期間の使用によって網１０７が目詰まりの状態になった際には、ねじ１１０を外し、遮蔽ユニット１０６を本体筒部１０１のカラー部１０２から反外壁側に抜くことで、遮蔽ユニット１０６を外壁から取り外すことができる。
【先行技術文献】
【特許文献】
【０００７】
【特許文献１】特開２００９−２６４６２４号公報（段落００４０、図３）
【発明の概要】
【発明が解決しようとする課題】
【０００８】
このような従来の換気用ベントキャップにおいては、遮蔽部１０５を有しているため、網１０７が目詰まりした場合、掃除をするためには遮蔽部１０５を外す必要があり、その際、ねじ１１０を外すのに工具を用いて外さなければならないため、その作業時間がかかっていたという課題を有していた。
【０００９】
そこで本発明は、上記従来の課題を解決するものであり、遮蔽部を短時間にかつ容易に脱着・固定できる換気用ベントキャップを提供することを目的とする。
【課題を解決するための手段】
【００１０】
そして、この目的を達成するために、本発明は、建物の外壁内に設けられて室内側と室外側を連通するダクト内に嵌挿されるフランジを有した本体筒部と、前記フランジの平面上に配置された網と、前記本体筒部の室外側端部から室外側に突出して円筒状となるカラー部と、前記カラー部の内壁より小径の枠体に支持部材を介して室外側に設けられる遮蔽部とを備え、前記カラー部の遮蔽部側周縁と前記遮蔽部の外周縁との間に開口を設けた構成であって、前記枠体にはＬ字状の切り欠け部と鈎状の爪を有し、前記カラー部には、中心側に突出したピンと、前記枠体の鈎状の爪を係合固定するための固定金具とを設けたという構成としたものであり、これにより所期の目的を達成するものである。
【発明の効果】
【００１１】
本発明によれば、建物の外壁内に設けられて室内側と室外側を連通するダクト内に嵌挿されるフランジを有した本体筒部と、前記フランジの平面上に配置された網と、前記本体筒部の室外側端部から室外側に突出して円筒状となるカラー部と、前記カラー部の内壁より小径の枠体に支持部材を介して室外側に設けられる遮蔽部とを備え、前記カラー部の遮蔽部側周縁と前記遮蔽部の外周縁との間に開口を設けた構成であって、前記枠体にはＬ字状の切り欠け部と鈎状の爪を有し、前記カラー部には、中心側に突出したピンと、前記枠体の鈎状の爪を係合固定するための固定金具とを設けたという構成としたことにより、遮蔽部をカラー部に取り付ける際、ピンが合うように遮蔽部を挿入させ、さらに遮蔽部を回転させると、ピンの位置により、遮蔽部が容易に外れることがなくなり、それと同時に、鉤状の爪が固定金具に係止固定されることとなり、また外す際も、同様の作業内容で行うことができるので、遮蔽部を短時間に容易に脱着・固定できるという効果を得ることができる。
【図面の簡単な説明】
【００１２】
【図１】本発明の実施の形態１の換気用ベントキャップの構成を示す断面図
【図２】同換気用ベントキャップの構成を示す斜視図
【図３】同換気用ベントキャップのＬ字状の切り欠け部の詳細を示す図
【図４】同換気用ベントキャップの構成を示す正面図
【図５】従来の換気用ベントキャップの構成を示す斜視図
【発明を実施するための形態】
【００１３】
本発明の請求項１〜４記載の換気用ベントキャップは、建物の外壁内に設けられて室内側と室外側を連通するダクト内に嵌挿されるフランジを有した本体筒部と、前記フランジの平面上に配置された網と、前記本体筒部の室外側端部から室外側に突出して円筒状となるカラー部と、前記カラー部の内壁より小径の枠体に支持部材を介して室外側に設けられる遮蔽部とを備え、前記カラー部の遮蔽部側周縁と前記遮蔽部の外周縁との間に開口を設けた構成であって、前記枠体にはＬ字状の切り欠け部と鈎状の爪を有し、前記カラー部には、中心側に突出したピンと、前記枠体の鈎状の爪を係合固定するための固定金具とを設けたという構成としている。これにより、遮蔽部をカラー部に取り付ける際、ピンが合うように遮蔽部を挿入させ、さらに遮蔽部を回転させると、ピンの位置により、遮蔽部が容易に外れることがなくなり、それと同時に、鉤状の爪が固定金具に係止固定されることとなり、また外す際も、同様の作業内容で行うことができるので、遮蔽部を短時間に容易に脱着・固定できるという効果を得ることができる。
【００１４】
また、フランジに回動自在な挟み板を設け、前記挟み板と前記フランジとの間に網を着脱自在に挟持するという構成にしてもよい。これにより、フランジに網を載せ、挟み板を回動させて、網をフランジと挟み板で挟持することとなるので工具を用いないで網を本体から容易に脱着することができる、という効果が得られる。
【００１５】
また、開口を下方に設けたという構成にしてもよい。これにより、排出される空気は下方の開口から室外側へ流れ出ることとなるので、軒天井付近の外壁に設置されても排出される空気によって軒天井が汚れることを防止することができる、という効果が得られる。
【００１６】
また、遮蔽部は外周縁から中心に向かうにしたがって室内側に厚みが増加する突形状部を設けたという構成にしてもよい。これにより、排出される空気は突形状部に沿って室外側へ流れ出ることとなるので、排気流により壁が汚れるのを防止することができるという効果が得られる。
【００１７】
以下、本発明の実施の形態について図面を参照しながら説明する。
【００１８】
（実施の形態１）
図１〜図４に示すように、建物の外壁１内に設けられて室内２側と室外３側を連通するダクト４内に嵌挿されるフランジ５を有した本体筒部６と、フランジ５の平面上に配置された金属製の網７と、本体筒部６の室外側端部８から室外３側に突出して円筒状となるカラー部９と、カラー部９の内壁１０より小径の円筒状の枠体１１に支持部材１２を最低２個介して室外３側に設けられる遮蔽部１３とを備え、カラー部９の遮蔽部側周縁１４と遮蔽部１３の外周縁１５との間に開口１６を設けた構成であって、枠体１１にはＬ字状の切り欠け部１７と鉤状の爪１８を有し（この実施の形態では両側に設けている）、カラー部９には、カラー部９の中心側に突出したピン１９と、枠体１１の鉤状の爪１８を係合固定するための固定金具２０とを設けた構成としている。
【００１９】
上記構成において、枠体１１を設けた遮蔽部１３をカラー部９に取り付ける際、Ｌ字状の切り欠け部１７の挿入口２１とピン１９が合うように遮蔽部１３をカラー部９に挿入させ、ピン１９が枠体１１の奥端２２達した際に遮蔽部１３を袋口端２３側に回転させると、枠体１１の袋口端２３がピン１９に近接するようになり、ピン１９はＬ字状の切り欠け部１７の突端２４の内側の領域２５内（奥端２２、突端２４、袋口端２３で囲まれる領域、図３の網掛部）に入ることとなる。これにより、不用意に遮蔽部１３がカラー部９に対し軸方向に引き抜く力がかかっても、ピン１９が突端２４に当接することとなり、容易に外れることがない。
【００２０】
また、それと同時に、枠体１１の袋口端２３がピン１９に近接すると、図２に示す鉤状の爪１８が固定金具２０に挟まれ係止されることとなり、遮蔽部１３がカラー部９に固定されることとなる。
【００２１】
さらに、遮蔽部１３をカラー部９から外す際には、上記で説明した、遮蔽部１３をカラー部９に固定する際と逆方向に遮蔽部１３を回転させ、そして遮蔽部１３をカラー部９から反挿入方向すなわち手前側に引くと、ピン１９がＬ字状の切り欠け部１７から外れ、かつ、固定金具２０によって挟持されていた鉤状の爪１８が外れるため遮蔽部１３がカラー部９から外すことができる。
【００２２】
換気を長時間行うと網７が目詰まりすることがあるが、換気用ベントキャップの使用者は工具を使用することなく、簡単に遮蔽部１３を脱着でき、網７の目詰まりを掃除することができる。
【００２３】
このように本発明の換気用ベントキャップを用いれば、遮蔽部１３を脱着する際には、遮蔽部１３を回して引く、挿入して回すのみで、短時間にかつ容易に脱着・固定できるという効果を得られる。
【００２４】
また、フランジ５に額縁の裏に設けられているような回動自在な挟み板２６を２個以上に設け、挟み板２６とフランジ５との間に網７を脱着自在に挟持するという構成にしてもよい。
【００２５】
これにより、フランジ５に網７を載せ、挟み板２６を回動させて、網７をフランジ５と挟み板２６で挟持することとなるので工具を用いないで網７を本体筒部６から容易に脱着することができるという効果が得られる。
【００２６】
また、開口１６を下方に設けたという構成にしてもよい。
【００２７】
これにより、図１に示す排出される空気２７にはダクト４を通って本体筒部６を通り下方の開口１６から室外３側へ流れ出ることとなるので、軒天井２８付近の外壁に設置されても排出される空気２７によって軒天井２８が汚れることを防止することができる。
【００２８】
また、遮蔽部１３は外周縁１５から中心に向かうにしたがって室内２側に厚みが増加する突形状部２９を設けたという構成にしてもよい。
【００２９】
これにより、排出される空気２７は突形状部２９に沿って室外３側へ流れ出ることとなるので、排気流により壁３０が汚れるのを防止することができる。
【００３０】
なお、突形状部２９の頂点を中心より軒天井２８側に設けた構成にすれば、より排出される空気２７を下方の開口１６へ導くことができるので、軒天井２８が汚れることをより防止することができる。
【産業上の利用可能性】
【００３１】
本発明にかかる換気用ベントキャップは、工具を用いることなく、遮蔽部を短時間に容易に脱着・固定できるという効果を有し、建物の外壁に設置される換気用ベントキャップ等として有用である。
【符号の説明】
【００３２】
１    外壁
２    室内
３    室外
４    ダクト
５    フランジ
６    本体筒部
７    網
８    室外側端部
９    カラー部
１０  内壁
１１  枠体
１２  支持部材
１３  遮蔽部
１４  遮蔽部側周縁
１５  外周縁
１６  開口
１７  Ｌ字状の切り欠け部
１８  鉤状の爪
１９  ピン
２０  固定金具
２１  挿入口
２２  奥端
２３  袋口端
２４  突端
２５  領域
２６  挟み板
２７  空気
２８  軒天井
２９  突形状部
３０  壁
【図１】
2014122753.tif 000003
【図２】
2014122753.tif 000004
【図３】
2014122753.tif 000005
【図４】
2014122753.tif 000006
【図５】
2014122753.tif 000007